(57)【要約】【課題】利用することができない機能の不用意な選択を防止する機能表示装置、機能表示方法及び機能表示プログラムを提供する。【解決手段】携帯電話１００、２００、３００は、メイン表示部２に表示されたメインメニューに基づいてキー入力部３から選択される機能に関するサブメニューを表示し、そのサブメニューに基づいた駆動指示に応じた機能部を駆動し、その時に充電池７から供給される電圧値が予め定められた値より下回った場合にメインメニュー表示へ戻る構成である。さらにメインメニュー表示に戻った場合は、その機能に関する項目を他の項目と差別して表示する。【選択図】図２
2006332728.tif 000002
【特許請求の範囲】
【請求項１】
メインメニューを表示する表示手段と、
この表示手段により表示されたメインメニューより、特定の動作部を動作させる機能を選択する選択手段と、
この選択手段によって前記特定の機能が選択されると、当該機能のサブメニューを前記表示手段に表示させる第１の表示制御手段と、
この第１の表示制御手段によりサブメニューが表示されている状態より、前記特定の動作部の動作指示を検出する検出手段と、
この検出手段により前記特定の動作部の動作指示を検出すると、当該特定の動作部へ駆動電圧を供給する電圧供給手段と、
この電圧供給手段により駆動電圧が供給されることにより、当該装置が低電圧状態になったか否かを判断する判断手段と、
この判断手段により当該装置が低電圧状態になったと判断すると前記メインメニューを表示させる第２の表示制御手段と
を備えたことを特徴とする機能表示装置。
【請求項２】
前記第２の表示制御手段は、前記メインメニューを表示するとき、前記選択手段によって選択された機能を他の機能と差別化して表示することを特徴とする請求項１に記載の機能表示装置。
【請求項３】
撮像手段を更に備え、
前記特定の動作部は前記撮像手段を駆動させる動作部であることを特徴とする請求項１又は２に記載の機能表示装置。
【請求項４】
放送受信手段を更に備え、
前記特定の動作部は前記放送受信手段を駆動させる動作部であることを特徴とする請求項１乃至３項のいずれかに記載の機能表示装置。
【請求項５】
拡声手段を更に備え、
前記特定の動作部とは前記拡声手段を動作させる駆動部であることを特徴とする請求項１乃至４項のいずれかに記載の機能表示装置。
【請求項６】
メインメニューを表示部に表示させる第１の表示ステップと、
この第１の表示ステップにて表示されたメインメニューより、特定の動作部を動作させる機能を選択する選択ステップと、
この選択ステップにて前記特定の機能が選択されると、当該機能のサブメニューを前記表示部に表示させる第２の表示ステップと、
この第２の表示ステップによりサブメニューが表示されている状態より、前記特定の動作部の動作指示を検出する検出ステップと、
この検出ステップにて前記特定の動作部の動作指示を検出すると、当該特定の動作部へ駆動電圧を供給する電圧供給ステップと、
この電圧供給ステップにて駆動電圧が供給されることにより、低電圧状態になったか否かを判断する判断ステップと、
この判断ステップにて低電圧状態になったと判断すると前記メインメニューを表示させる第３の表示ステップと
を備えたことを特徴とする機能表示方法。
【請求項７】
コンピュータを、
メインメニューを表示部に表示させる第１の表示手段、
この第１の表示手段によって表示されたメインメニューより、特定の動作部を動作させる機能を選択する選択手段、
この選択手段によって前記特定の機能が選択されると、当該機能のサブメニューを前記表示部に表示させる第２の表示手段、
この第２の表示手段によりサブメニューが表示されている状態より、前記特定の動作部の動作指示を検出する検出手段、
この検出手段によって前記特定の動作部の動作指示を検出すると、当該特定の動作部へ駆動電圧を供給する電圧供給手段、
この電圧供給手段によって駆動電圧が供給されることにより、低電圧状態になったか否かを判断する判断手段、
この判断手段よって低電圧状態になったと判断すると前記メインメニューを表示させる第３の表示手段
として実行させることを特徴とする機能表示プログラム。
【発明の詳細な説明】
【技術分野】
【０００１】
本発明は、メインメニューとサブメニューとによるメニュー画面から当該装置の各種機能が実行可能な機能表示装置、及び、機能表示方法に関する。
【背景技術】
【０００２】
近年、携帯電話などの携帯情報端末においては、主な機能である無線通信による電話の他に、撮影機能、テレビ／ラジオ視聴機能、音楽プレーヤー機能などを備えた、より多機能なものが開発されている。
【０００３】
このような多機能の携帯情報端末においては、各機能に対応して動作する機能（上記撮影機能であればカメラモジュール、レンズ駆動用モータ、上記音楽プレーヤー機能であれば復号化回路、アンプ、スピーカ）の電源管理については、例えば特許文献１に記載されるように、電池の電圧値が低下して電話機能の駆動に必要な電圧値を下回った場合においても、メモリ機能に必要な電圧値を上回る場合にはその機能を活用可能に制御する技術が開示されている。
【特許文献１】特開平５−２５２０９２号公報
【発明の開示】
【発明が解決しようとする課題】
【０００４】
しかしながら、従来の技術では電池電圧の低下に伴う各種機能の起動制限は可能であるが、各機能のメインメニュー表示状態やサブメニュー表示状態において、低電圧のために起動することができない機能がどれなのかを通知する手段を有していないので、例えば、低電圧のため動作不可能になっている場合であっても、階層的にメインメニュー表示、サブメニュー表示を選択してしまい無意味な処理が行なわれる可能性があった。
【０００５】
そこで、本発明の課題は、低電圧のために利用することができない機能の不用意な選択を防止する機能表示装置、及び、機能表示方法を提供することである。
【課題を解決するための手段】
【０００６】
上記課題を解決するために請求項１に記載の発明は、メインメニューを表示する表示手段と、この表示手段により表示されたメインメニューより、特定の動作部を動作させる機能を選択する選択手段と、この選択手段によって前記特定の機能が選択されると、当該機能のサブメニューを前記表示手段に表示させる第１の表示制御手段と、この第１の表示制御手段によりサブメニューが表示されている状態より、前記特定の動作部の動作指示を検出する検出手段と、この検出手段により前記特定の動作部の動作指示を検出すると、当該特定の動作部へ駆動電圧を供給する電圧供給手段と、この電圧供給手段により駆動電圧が供給されることにより、当該装置が低電圧状態になったか否かを判断する判断手段と、この判断手段により当該装置が低電圧状態になったと判断すると前記メインメニューを表示させる第２の表示制御手段とを備えたことを特徴とする。
更に、上述した請求項１記載の発明に示した主要機能を実現させるための機能表示方法及び機能表示プログラムを提供する（請求項６、７記載の発明）。
【０００７】
請求項２に記載の発明は、請求項１に記載の発明において、前記第２の表示制御手段は、前記メインメニューを表示するとき、前記選択手段によって選択された機能を他の機能と差別化して表示することを特徴とする。
【０００８】
請求項３に記載の発明は、請求項１又は２に記載の発明において、撮像手段を更に備え、前記特定の動作部は前記撮像手段を駆動させる動作部であることを特徴とする
【０００９】
請求項４に記載の発明は、請求項１乃至３のいずれかに記載の発明において、放送受信手段を更に備え、前記特定の動作部は前記放送受信手段を駆動させる動作部であることを特徴とする。
【００１０】
請求項５に記載の発明は、請求項１乃至４のいずれかに記載の発明において、拡声手段を更に備え、前記特定の動作部とは前記拡声手段を動作させる駆動部であることを特徴とする。
【発明の効果】
【００１１】
請求項１、６、７に記載の発明によれば、メインメニューが表示されている状態で、特定の動作部を動作させる機能を選択されると、この機能のサブメニューが表示される。そして、このサブメニューが表示されている状態で、特定の動作部の動作指示を検出すると、供給される駆動電圧により低電圧になったか否かを判断し、低電圧になるとメインメニューの表示に戻るので、利用者が利用することができない機能を不用意に選択することを防止することができる。
【００１２】
請求項２に記載の発明によれば、請求項１に記載の発明に加え、前記メインメニューを表示するとき、選択された機能を他の機能と差別化して表示するので、利用者が利用することができない機能を不用意に選択することを防止することができる。
【００１３】
請求項３に記載の発明によれば、特定の動作部は撮像手段を駆動させる動作部であるため、カメラ機能を有する装置において実施することができる。
【００１４】
請求項４に記載の発明によれば、特定の動作部は放送受信手段を駆動させる駆動部あるため、テレビ／ラジオ放送を視聴する機能を有する装置において実施することができる。
【００１５】
請求項５に記載の発明によれば、特定の動作部は拡声手段を駆動させる駆動部あるため、音声を再生する機能を有する装置において実施することができる。
【発明を実施するための最良の形態】
【００１６】
［第１の実施の形態］
以下、図を参照して、本発明の実施形態について詳細に説明する。
【００１７】
まず、図１に、折り畳み式の携帯電話である携帯電話１００の外観構成図を示す。図１（ａ）は、開いた状態における携帯電話１００の正面外観図であり、図１（ｂ）は、開いた状態における携帯電話１００の背面外観図である。
【００１８】
携帯電話１００は、通信用スピーカ１、メイン表示部２、キー入力部３、マイク４、サブ表示部５、カメラレンズ部６、充電池７、ステレオスピーカ８、９、着信報知用ＬＥＤ１０等により構成される。尚、通信用スピーカ１、メイン表示部２、サブ表示部５、カメラレンズ部６及び着信報知用ＬＥＤ１０は蓋部１０１に設けられ、キー入力部３、マイク４、充電池７、ステレオスピーカ８、９及びアンテナ１１は本体部１０２に設けられている。そして、蓋部１０１、本体部１０２はヒンジ部１０３により折り畳み可能に構成されている。
【００１９】
通信用スピーカ１は、携帯電話１００を介して利用者と通話する者の音声を出力する。ステレオスピーカ８、９は、着信があったことをメロディを出力して利用者に通知する他、メディアプレーヤとして使用した場合にはオーディオファイルを展開することによる楽音情報をステレオ出力する。着信報知用ＬＥＤ１０は着信があったことを発光により利用者に通知する他、カメラモードの際は被写体を照射する光源としても用いられる。メイン表示部２は、ＬＣＤ（Liquid  Crystal  Display）等の表示画面を備え、すべての操作を行なうための主要となる表示画面である。電話帳情報、メール作成、受信した電話の受信先情報、などが表示される。キー入力部３は、各種機能キーを備え、メールの送受信、メール作成、電話帳登録等を入力することにより各種指示を行なう。マイク４は、ユーザにより音声が入力される。サブ表示部５はメイン表示部２と同様の構成であり、携帯電話１００が閉じた状態である時、着信の通知、メール受信の通知、受信先情報等を表示する補助的な表示画面である。カメラレンズ部６は、携帯電話１００をカメラモードに切り替え、画像を撮影する際に、画像をメイン表示部２又はサブ表示部５に映し出す。充電池７は、携帯電話１００を動作させる電源である。
【００２０】
次に、図２を参照して、携帯電話１００の主要構成を示す。図２は、携帯電話１００の機能的構成を模式的に示した図である。
【００２１】
携帯電話１００は、図１に示す各部の他に、アンテナ１１、無線処理部１２、制御部１３、記憶部１４、音声処理部１５、ドライバ制御部１６、ＬＥＤ１６１〜１６３、ドライバ１７、２１、ＣＣＤ１８、撮像処理部１９、音源ＲＯＭ２０、スピーカ２２、電圧監視部２３、電圧供給制御回路２４を有し、バスＢにより接続される。
【００２２】
無線処理部１２は、利用者が通話する際に、マイク４を介して入力され、音声処理部１５にて所定の圧縮符号化形式に変換された音声情報を、無線通信方式にて定められた音声信号に変調してアンテナ１１を介して外部の基地局に送信する一方、アンテナ１１を介して基地局より受信された無線信号からデジタルデータへ復調し、音声通信ならばそのデジタルデータを音声処理部１５へ出力する。また、デジタルデータがパケットデータであれば、そのパケットデータより復元された各種データ（メールデータやダウンロードデータ）を制御部１３に渡す処理を行なう。尚、無線処理部１２の最低駆動電圧は３．３Ｖになっている。
【００２３】
制御部１３は記憶部１４に格納された制御プログラムを順次実行することで各部の動作を制御する。また設定テーブル１３１は、後述するが、通常動作から低電圧動作へ切換わった場合に制御される各部の動作内容が記憶されている。制御部１３は、当該設定テーブル１３１に記憶された内容と電圧監視部２３における検出結果とに基づいて、各部の駆動制御を行なう。
【００２４】
また、制御部１３は、記憶部１４に格納された画面表示プログラムを順次実行することで、メイン表示部２の表示画面において、携帯電話１００に備えられた各部により実現する各種機能、例えばカメラ撮影・音楽再生・テレビ／ラジオ視聴・メモリ（スケジュール）管理などを選択可能なメインメニューと、その選択された機能の詳細な駆動指示、例えばメインメニューでカメラ撮影が選択された場合における静止画撮影・動画撮影・バーコード撮影によるデータ入力などの指示が可能なサブメニューと、を表示する。この時の選択又は駆動指示はキー入力部３からの入力指示を元に行なわれ、駆動指示が入力された場合は対応する処理プログラムのパスやポインタを指定して当該処理プログラムを起動させる。これにより、携帯電話１００は、メイン表示部２に表示されるメインメニュー／サブメニューから各種機能を選択して実行することができる。
【００２５】
記憶部１４は、ＥＥＰＲＯＭ（Electrically  Erasable  and  Programmable  Read  Only  Memory）などである不揮発性メモリ１４１及びＨＤＤ１４２を備え、電子手帳機能を有し、携帯電話１００に予め記憶されている電話番号を含むユーザプロファイルデータや、連絡先の電話番号データ、メールアドレスデータ等を記憶している。また、撮影された画像ファイルデータや送受信メールアイテムデータ、音楽ファイルデータを格納する。そして、制御部１３からの制御信号により、これらのデータをメイン表示部２やサブ表示部５を介して表示出力したり、音源ＲＯＭ２０へ出力する。なお、不揮発性メモリ１４１はユーザプロファイルデータ、連絡先の電話番号データ又はメールアドレスデータなど、比較的にデータ量の少ない情報を記憶し、ＨＤＤ１４２はスピンドルモータ１４３より回転し、画像ファイルデータや音楽ファイルデータなど、比較的にデータ量の多い情報を記憶する。
【００２６】
音声処理部１５は、マイク４を介して入力された音声信号を所定の圧縮符号化形式に変換してバスＢに出力する他、音声通信の際にバスＢより入力されたデジタルデータを復元処理して音声信号に変換し、通信用スピーカ１に出力する。
【００２７】
ＬＥＤ１６１〜１６３及び着信報知用ＬＥＤ１０は印加される電圧値により駆動するドライバを夫々含み、ドライバ制御部１６により印加電圧が制御される。また、ＬＥＤ１６１〜１６３は、メイン表示部２、サブ表示部５及びキー入力部３を照射する機能を有する。詳細には、キー入力部３は光透過部材で一部もしくは全てが構成され、ＬＥＤ１６１は当該携帯電話内部のキー入力部３の直下に複数個設けられている。また、ＬＥＤ１６２はメイン表示部２のバックライト光源として用いられ、ＬＥＤ１６３はサブ表示部５のバックライト光源として夫々用いられる。ドライバ制御部１６はＬＥＤ１６１〜１６３及び着信報知用ＬＥＤ１０への印加電圧を制御するが、ＬＥＤ１６２のみ、その印加電圧値を通常の値より小さくすることにより微灯点灯させることができる。
【００２８】
メイン表示部２は、当該携帯電話１００の状態（受信電波状態、音声着信状態、メール着信状態、各種アプリケーションの実行状態や現在時刻）を表示する他、後述する記憶部１４に記憶された各種データを表示する。サブ表示部５は主に折り畳まれた状態で各種データを表示する。ドライバ１７はバッファエリアを有し、メイン表示部２、サブ表示部５を駆動させる。
【００２９】
ＣＣＤ１８は撮像デバイスでありカメラレンズ部６の奥に備えられている。撮像処理部１９はＣＣＤ１８より出力された画像データをデジタルデータに変換したり、所定のファイル形式に変換して、記憶部１４に出力する機能を備えている。
【００３０】
音源ＲＯＭ２０は各種音源をデジタルデータとして記憶し、例えば、制御部１３からの制御により記憶部１４に格納された音楽ファイルデータが読み出されると、このデータが供給されてドライバ２１を駆動させる。
【００３１】
ドライバ２１はステレオスピーカ８、９及びスピーカ２２を駆動させるアンプとしての機能を有する回路部であり、音楽ファイルデータの内容に基づいて楽音情報や着信報知音をステレオスピーカ８、９でステレオ再生させる。また、キー入力音や携帯電話１００の各回路状態検知による報知音はスピーカ２２にてモノラル出力される。尚、ドライバ２１の最低駆動電圧はステレオスピーカ８、９を駆動させるケースとスピーカ２２を駆動させるケースとでは異なり、ステレオスピーカ８、９では３．４Ｖ、スピーカ２２ではそれ以下となっている。
【００３２】
電圧監視部２３は充電池７が供給する電源電圧の状態を常に監視しており、監視結果として現在の供給電圧値を所定の周期で制御部１３に出力する。充電池７は携帯電話１００全体に駆動電圧を供給する。電圧供給制御回路２４は、制御部１３により制御され、供給すべき回路部及びドライバを選択する。
【００３３】
次に、図３を参照して、携帯電話１００の制御部１３による制御動作について説明する。尚、図３は制御部１３の設定テーブル１３１の設定内容を図示したものである。同図において、携帯電話１００には供給される電源電圧についてレベルが４段階に分けて設定されている。レベル１は電源電圧値が４．２Ｖまでの状態であり、問題無く各回路部が通常動作可能な通常動作電圧である。レベル２は電源電圧値が３．４Ｖまでの状態であり、ステレオスピーカ８、９を駆動させるために必要な出力保障電圧（最低動作電圧）である。この出力保障電圧は、モードを切換える際に（後述）基準となる電圧値である。レベル１及び２は、携帯電話１００の各回路部が通常に動作できるレベルであり、以下通常モードと称する。レベル３は電源電圧値が３．３Ｖまでの状態であり、無線処理部１２の最低駆動保障電圧である。レベル４は電源電圧値が３．０Ｖの状態であり、このレベルを下回ると携帯電話１００が正常に動作しなくなるため、回路全体への電源供給を停止する。このため、レベル３及び４は、電圧供給制御回路２４はドライバ１７（メイン表示部２のみの駆動）、ドライバ制御部１６（ＬＥＤ１６２のみの微灯駆動制御）、ＬＥＤ１６２、スピーカ２２、キー入力部３の感圧センサー（不図示）に電源電圧を供給するよう制御する。このため、低電圧動作モードにおいては、不揮発性メモリ１４１に記憶されるデータの読出しと書き込み、メイン表示部２へのデータ表示のみが可能になっている（以下、この動作状態を「低電圧動作モード」と称する）。
【００３４】
携帯電話１００においては、電圧監視部２３からの入力により、レベル２、つまり、出力保障電圧である３．４Ｖを下回ったことが検出されると、強制的に通常モードから低電圧動作モードに移行する動作が行なわれる。すなわち、電圧監視部２３からの入力に基づいて制御部１３は設定テーブル１３１を参照し、充電池７の電源電圧値が出力保障電圧３．４Ｖを下回ったと判定されると、ドライバ制御部１６に対し、ＬＥＤ１６２への印加電圧を調整して微灯モードに切換えさせるとともに、ＬＥＤ１６１、ＬＥＤ１６３、着信報知用ＬＥＤ１０の駆動を停止させる。またドライバ１７に対しメイン表示部２のみを駆動させるよう制御し、ドライバ２１に対しステレオスピーカ８、９の駆動を停止させる。更に、無線処理部１２も動作を停止させる他、ＣＣＤ１８、撮像処理部１９からなるカメラデバイスの動作も停止させる。
【００３５】
以上のように、携帯電話１００は、充電池７の電源電圧が通常使用できる電圧値を下回る場合には低電圧動作モードに移行して各部の駆動制御を行なう。
【００３６】
次に、制御部１３が行なうメインメニューが表示された状態からカメラ機能が選択された場合の機能表示処理について、図４に示す機能表示処理に関するフローチャートを参照して説明する。
【００３７】
先ず、制御部１３は、各種機能の選択が可能なメインメニューをメイン表示部２に表示した状態でキー入力部３からの入力指示により選択されたメニュー項目が「カメラを使う」であるか否か、つまりカメラ機能の選択の有無を判定し（ステップＳ１）、カメラ機能が選択された場合は（ステップＳ１：ＹＥＳ）カメラ機能におけるサブメニューであるカメラモードメニューを表示する（ステップＳ２）。なお、特にカメラ機能が選択されていない場合（ステップＳ１：ＮＯ）は選択された他の機能を処理するモードへ移行される（ステップＳ１４）。
【００３８】
ステップＳ２の後、サブメニューとして表示された各モード（例えば前述の静止画撮影・動画撮影・バーコード撮影によるデータ入力）が選択されるまで待機され（ステップＳ３）、選択されたモードに対応する処理プログラムが起動されるとともにカメラ機能を実現する機能部であるカメラモジュール（携帯電話１００でいうＣＣＤ１８、撮像処理部１９）に駆動電源が供給され（ステップＳ４）、電圧監視部２３から出力される充電池７の供給電圧値が前述のレベル２の電圧値（３．４Ｖ）未満であるか否かが判定される（ステップＳ５）。
【００３９】
ステップＳ５においてレベル２の電圧値以上である場合は、クリアキーなどの終了操作の検出によりステップＳ２に戻るまで選択されたカメラモードでの撮影処理が行なわれる（ステップＳ１２、Ｓ１３）。
【００４０】
ステップＳ５においてレベル２の電圧値未満である場合は、前記カメラモジュールへの駆動電源の供給を停止するとともにステップＳ１における「カメラを使う」からステップＳ３における各モードの検出に至るキー操作遷移（カメラモジュールの起動に至るメニュー選択の履歴であってもよい）が記憶部１４に記録され（ステップＳ６）、電圧監視部２３から出力される電圧値がレベル２の電圧値未満を継続しているか否かが判定される（ステップＳ７）。
【００４１】
ステップＳ７においてレベル２の電圧値未満が継続する場合、つまり、カメラモジュールへの駆動電源の供給を行なわない場合でもレベル２の電圧値未満である場合は（ステップＳ７：ＹＥＳ）、ステップＳ６で記録されたキー操作遷移がクリアされ（ステップＳ１０）、メイン表示部２に低電圧動作モードへの移行がポップアップ表示されて（ステップＳ１１）、終了（低電圧動作モードへ移行）する。
【００４２】
ステップＳ７においてレベル２の電圧値未満が継続しない場合は（ステップＳ７：ＮＯ）、メインメニュー画面に移行されるとともにステップＳ６において記録されたキー操作遷移に基づいてメインメニューにおける「カメラを使う」に関する項目が他のメニューと差別化して表示、つまりカスレ表示や選択時にポップアップで警告表示され（ステップＳ８）、再びレベル２の電圧値未満が検出されるまで（ステップＳ９：ＹＥＳ）メインメニューの表示時にはその表示が継続される。なお、ステップＳ８においては、メインメニューの「カメラを使う」に関する項目を差別化して表示するとともに、当該項目の選択からサブメニューへの移行を禁止する構成であっても良い。
【００４３】
ここで、上述した機能表示処理の実行時におけるメイン表示部２の表示を図５を参照して説明する。図５は、メイン表示部２の画面を例示する図であり、メインメニュー表示時であるメインメニュー表示画面Ｇ１１、Ｇ１２、メインメニューの項目において「カメラを使う」が選択された場合のサブメニュー表示時であるサブメニュー表示画面Ｇ２１〜Ｇ２３、サブメニューの項目において静止画像撮影（同図では「フォト」）が選択された場合の動作画面Ｇ３１を示す。
【００４４】
なお、同図における黒反転はメニュー項目の一時選択状態を示し、方向キーなどの押下操作で他の項目が一時選択可能である。そして当該一時選択状態から決定キーなどの押下操作でその一時選択された項目に関する選択指示が入力される。
【００４５】
機能表示処理の実行時には、充電池７から供給される電圧値が通常の状態、つまりステップＳ５においてレベル２の電圧値未満と判定されるまではメインメニュー表示画面Ｇ１１、サブメニュー表示画面Ｇ２１〜Ｇ２３及び動作画面Ｇ３１の画面が表示され、メインメニューからのカメラ機能の選択とサブメニューからカメラの動作指示を行うことができる。
【００４６】
ここで、充電池７から供給される電圧値が低くなり、サブメニュー表示画面Ｇ２１から動作画面Ｇ３１へ移行するタイミングでステップＳ５において供給される電圧値がレベル２の電力値未満と判定された場合は少なくともメインメニュー（カメラの一時選択時にはメインメニュー表示画面Ｇ１２）画面へ移行することで、供給電圧低下により利用することができない他のサブメニュー項目の選択を防止する。
【００４７】
さらに、ステップＳ７においてそのレベル２未満の状態が継続しないと判定された場合、つまり、カメラ動作に関する動作部へ駆動電源を供給しなければ通常の電圧値が供給される場合はキー操作遷移に基づいて「カメラを使う」の一時選択時のみをメインメニュー表示画面Ｇ１２のように差別化して表示するメインメニュー表示を行なうことで、利用することができない機能の不用意な選択を防止する。
【００４８】
以上のように、携帯電話１００は、メイン表示部２に表示されたメインメニューに基づいてキー入力部３から選択されるカメラ機能に関するサブメニューを表示し、そのサブメニューに基づいた駆動指示に応じて撮影に関する機能部を駆動し、その時に充電池７から供給される電圧値が予め定められた値より下回った場合にメインメニュー表示へ戻る構成である。さらにメインメニュー表示に戻った場合は、撮影に関する項目を他の項目と差別して表示する。このため、携帯電話１００は、メニュー表示による機能の選択において、一度利用することができないと判定された機能の不用意な再選択を防止することができる。
【００４９】
［第２の実施の形態］
次に、第２の実施の形態として、テレビ／ラジオの視聴が可能な携帯電話２００の構成と、そのテレビ／ラジオ機能が選択された場合の機能表示処理について、図６、図７を参照して説明する。
【００５０】
図６は、携帯電話２００の機能的構成を模式的に示した図であり、図７は、制御部１３が行なうメインメニューが表示された状態からテレビ／ラジオ機能が選択された場合の機能表示処理について説明するフローチャートである。なお、簡略化のため、携帯電話１００と同様の構成については、同一符号を付して説明を省略する。
【００５１】
携帯電話２００は、図６に示すように、携帯電話１００にテレビ放送／ラジオ放送の受信を可能にする回路であるテレビ／ラジオ部２５とアンテナ２５１を加えた構成である。
【００５２】
テレビ／ラジオ部２５は、チューナー部、映像復号部及び音声復号部などを有し（いずれも図示しない）、アンテナ２５１を同調させることによって利用者により選局されたテレビ／ラジオ放送局のチャンネルに対応する周波数信号を受信し、映像信号・音声信号に復号して制御部１３へ出力する。これにより地上波アナログテレビ放送／ＡＭ・ＦＭラジオ放送の受信を行なう。
【００５３】
なお、テレビ／ラジオ部２５は、ＯＦＤＭ（Orthogonal  Frequency  Division  Multiplexing：直交周波数分割多重方式）復調部などを更に有し、受信したＯＦＤＭ変調信号を復調して映像／音声信号を復号することで地上波デジタルテレビ放送の受信を行なう構成であっても良い。
【００５４】
次に、制御部１３が行なうメインメニューが表示された状態から「ＴＶ／ラジオ視聴」が選択された場合の機能表示処理について説明する。
【００５５】
先ず、制御部１３は、各種機能の選択が可能なメインメニューをメイン表示部２に表示した状態でキー入力部３からの入力指示により選択されたメニュー項目が「ＴＶ／ラジオ視聴」であるか否か、つまりＴＶ／ラジオ機能の選択の有無を判定し（ステップＳ２１）、ＴＶ／ラジオ機能が選択された場合は（ステップＳ２１：ＹＥＳ）ＴＶ／ラジオ機能におけるサブメニューであるＴＶ／ラジオ視聴モードメニューを表示する（ステップＳ２２）。なお、特にＴＶ／ラジオ機能が選択されていない場合（ステップＳ２１：ＮＯ）は選択された他の機能を処理するモードへ移行される（ステップＳ１４）。
【００５６】
ステップＳ２２の後、サブメニューとして表示された各モード（例えばテレビ視聴・ラジオ視聴）が選択されるまで待機され（ステップＳ２３）、選択されたモードに対応する処理プログラムが起動されるとともにＴＶ／ラジオ機能を実現する機能部であるテレビ／ラジオ部２５、アンテナ２５１に駆動電源が供給され（ステップＳ２４）、電圧監視部２３から出力される充電池７の供給電圧値が前述のレベル２の電圧値（３．４Ｖ）未満であるか否かが判定される（ステップＳ２５）。
【００５７】
ステップＳ２５においてレベル２の電圧値以上である場合は、クリアキーなどの終了操作の検出によりステップＳ２２に戻るまで選択されたＴＶ／ラジオ視聴モードでのテレビ視聴・ラジオ視聴処理が行なわれる（ステップＳ３２、Ｓ３３）。
【００５８】
ステップＳ２５においてレベル２の電圧値未満である場合は、テレビ／ラジオ部２５、アンテナ２５１への駆動電源の供給を停止するとともにステップＳ２１における「ＴＶ／ラジオ視聴」からステップＳ２３における各モードの検出に至るキー操作遷移（テレビ／ラジオ部２５、アンテナ２５１の起動に至るメニュー選択の履歴であってもよい）が記憶部１４に記録され（ステップＳ２６）、電圧監視部２３から出力される電圧値がレベル２の電圧値未満を継続しているか否かが判定される（ステップＳ２７）。
【００５９】
ステップＳ２７においてレベル２の電圧値未満が継続する場合、つまり、テレビ／ラジオ部２５、アンテナ２５１への駆動電源の供給を行なわない場合でもレベル２の電圧値未満である場合は（ステップＳ２７：ＹＥＳ）、ステップＳ２６で記録されたキー操作遷移がクリアされ（ステップＳ１０）、メイン表示部２に低電圧動作モードへの移行がポップアップ表示されて（ステップＳ１１）、終了（低電圧動作モードへ移行）する。
【００６０】
ステップＳ２７においてレベル２の電圧値未満が継続しない場合は（ステップＳ２７：ＮＯ）、メインメニュー画面に移行されるとともにステップＳ２６において記録されたキー操作遷移に基づいてメインメニューにおける「ＴＶ／ラジオ視聴」に関する項目が他のメニューと差別化して表示、つまりカスレ表示や選択時にポップアップで警告表示され（ステップＳ２８）、再びレベル２の電圧値未満が検出されるまで（ステップＳ２９：ＹＥＳ）メインメニューの表示時にはその表示が継続される。なお、ステップＳ２８においては、メインメニューの「ＴＶ／ラジオ視聴」に関する項目を差別化して表示するとともに、当該項目の選択からサブメニューへの移行を禁止する構成であっても良い。
【００６１】
以上のように、携帯電話２００は、メニュー表示による機能の選択において、カメラ機能だけでなく、ＴＶ／ラジオ視聴に関する機能についても、一度利用することができないと判定された場合に不用意な再選択を防止することができる。
【００６２】
［第３の実施の形態］
次に、第３の実施の形態として、音楽の再生が可能である携帯電話３００において、その音楽再生機能が選択された場合の機能表示処理について、図２、図８を参照して説明する。図８は、制御部１３が行なうメインメニューが表示された状態から音楽再生機能が選択された場合の機能表示処理について説明するフローチャートである。なお、簡略化のため、同一符号を付して説明を省略する。
【００６３】
携帯電話３００における音楽再生機能は、図２に示すように、制御部１３が記憶部１４に格納された音楽再生処理プログラムを順次実行し、ＨＤＤ１４２に格納された音楽ファイルデータを復号して再現される音声信号を音源ＲＯＭ２０を介してステレオスピーカ８、９へ出力することで行なう。なお、音楽再生機能は、前述のようにソフト的に実現してもよいが、専用のＤＳＰ（Digital  Signal  Processor）を具備して実現してもよいし、制御部１３とそのＤＳＰとを同一のＬＳＩパッケージに組み込み、その一体の回路が実現してもよい。
【００６４】
図８に示すように、制御部１３は、各種機能の選択が可能なメインメニューをメイン表示部２に表示した状態でキー入力部３からの入力指示により選択されたメニュー項目が「音楽を聴く」であるか否か、つまり音楽再生機能の選択の有無を判定し（ステップＳ４１）、音楽再生機能が選択された場合は（ステップＳ４１：ＹＥＳ）音楽再生機能におけるサブメニューである音楽再生モードメニューを表示する（ステップＳ４２）。なお、特に音楽再生機能が選択されていない場合（ステップＳ４１：ＮＯ）は選択された他の機能を処理するモードへ移行される（ステップＳ１４）。
【００６５】
ステップＳ４２の後、サブメニューとして表示された各モードが選択されるまで待機され（ステップＳ４３）、選択されたモードに対応する処理プログラムが起動されるとともにスピンドルモータ１４３に駆動信号を与えることで、ＨＤＤ１４２から読み込まれた音楽ファイルデータの一覧が表示され（ステップＳ４４）、再生する音楽ファイルデータが選択されるまで待機される（ステップＳ４５）。
【００６６】
再生する音楽ファイルデータが選択された後（ステップＳ４５：ＹＥＳ）、ドライバ２１、ステレオスピーカ８、９に駆動電源が供給され（ステップＳ４６）、電圧監視部２３から出力される充電池７の供給電圧値が前述のレベル２の電圧値（３．４Ｖ）未満であるか否かが判定される（ステップＳ４７）。
【００６７】
ステップＳ４７においてレベル２の電圧値以上である場合は、クリアキーなどの終了操作の検出によりステップＳ４４に戻るまで選択された音楽再生モードでの音楽再生処理が行なわれる（ステップＳ５４、Ｓ５５）。
【００６８】
ステップＳ４７においてレベル２の電圧値未満である場合は、ドライバ２１、ステレオスピーカ８、９及びＨＤＤ１４２への駆動電源の供給を停止するとともにステップＳ４１における「音楽を聴く」からステップＳ４３における各モードの検出に至るキー操作遷移（ステレオスピーカ８、９の起動による音楽再生に至るメニュー選択の履歴であってもよい）が記憶部１４に記録され（ステップＳ４８）、電圧監視部２３から出力される電圧値がレベル２の電圧値未満を継続しているか否かが判定される（ステップＳ４９）。
【００６９】
ステップＳ４９においてレベル２の電圧値未満が継続する場合、つまり、ドライバ２１、ステレオスピーカ８、９及びＨＤＤ１４２への駆動電源の供給を行なわない場合でもレベル２の電圧値未満である場合は（ステップＳ４９：ＹＥＳ）、ステップＳ４８で記録されたキー操作遷移がクリアされ（ステップＳ１０）、メイン表示部２に低電圧動作モードへの移行がポップアップ表示されて（ステップＳ１１）、終了（低電圧動作モードへ移行）する。
【００７０】
ステップＳ４９においてレベル２の電圧値未満が継続しない場合は（ステップＳ４９：ＮＯ）、メインメニュー画面に移行されるとともにステップＳ４８において記録されたキー操作遷移に基づいてメインメニューにおける「音楽を聴く」に関する項目が他のメニューと差別化して表示、つまりカスレ表示や選択時にポップアップで警告表示され（ステップＳ５０）、再びレベル２の電圧値未満が検出されるまで（ステップＳ５１：ＹＥＳ）メインメニューの表示時にはその表示が継続される。なお、ステップＳ５０においては、メインメニューの「音楽を聴く」に関する項目を差別化して表示するとともに、当該項目の選択からサブメニューへの移行を禁止する構成であっても良い。
【００７１】
以上のように、携帯電話３００は、メニュー表示による機能の選択において、音楽再生に関する機能についても利用することができいと判定された場合に不用意な再選択を防止することができる。
【００７２】
なお、本発明は、発明の趣旨を逸脱しない範囲で自由に変更、改良が可能である。例えば、本発明における携帯電話１００、２００、３００は、ＰＤＡ（Personal  Digital  Assistant）や、携帯音楽再生端末などであって良く、特に限定しない。また、設定テーブル１３１の内容は所定の電圧値で動作モードを切換える一例であり、具体的な電圧値や低電圧動作モードにおける各部の制御はこれに限定するものではない。
【００７３】
また、携帯電話１００、２００、３００は、それぞれ別の構成としたが、一つの携帯電話に組み合わせて各種機能を複合して備えるとともに、前述の機能表示処理を各種機能の選択及び駆動ごとに行なう構成であっても良い。この場合は、十分に充電された充電池７から供給される電源による連続駆動で低電圧動作モードに至るまでの間に、カメラ機能・テレビ／ラジオ機能・音楽再生機能が順次使用できないと判定された場合にその判定に基づいた機能が不用意に再選択されることを防止することができる。    
また、メインメニューなどの表示は、携帯電話１００、２００、３００を開いた状態におけるメイン表示部２だけでなく、閉じた状態におけるサブ表示部５であってもよい。この場合におけるメニューの操作指示は、キー入力部３の一部であり、特に図示しない装置の側面に備えられたサイドキーにより行なう。
【図面の簡単な説明】
【００７４】
【図１】本発明であり第１〜３の実施の形態における折り畳み式の携帯電話１００、２００、３００の開いた状態を示す図であり、（ａ）正面を示す図、（ｂ）背面を示す図である。
【図２】携帯電話１００及び携帯電話３００の機能的構成を模式的に示す図である。
【図３】設定テーブル１３１の設定内容を例示した図である。
【図４】メインメニューが表示された状態からカメラ機能が選択された場合の機能表示処理を示すフローチャートである。
【図５】メイン表示部２の画面を例示する図である。
【図６】携帯電話２００の機能的構成を模式的に示す図である。
【図７】メインメニューが表示された状態からテレビ／ラジオ機能が選択された場合の機能表示処理を示すフローチャートである。
【図８】メインメニューが表示された状態から音楽再生機能が選択された場合の機能表示処理を示すフローチャートである。
【符号の説明】
【００７５】
１００、２００、３００  携帯電話（機能表示装置）
１  通信用スピーカ
２  メイン表示部（表示手段、表示部）
３  キー入力部（選択手段、検出手段）
４  マイク
５  サブ表示部
６  カメラレンズ部
７  充電池
８、９  ステレオスピーカ（動作部、拡声手段）
１０  着信報知用ＬＥＤ
１１  アンテナ
１２  無線処理部
１３  制御部（第１の表示制御手段、第２の表示制御手段、判断手段）
１４  記憶部
１５  音声処理部
１６  ドライバ制御部
１７  ドライバ
１８  ＣＣＤ（動作部、撮像手段）
１９  撮像処理部（動作部、撮像手段）
２０  音源ＲＯＭ
２１  ドライバ
２２  スピーカ
２３  電圧監視部
２４  電圧供給制御回路（電圧供給手段）
２５  テレビ／ラジオ部（動作部、放送受信手段）
１０１  蓋部
１０２  本体部
１０３  ヒンジ部
１３１  設定テーブル
１４１  不揮発性メモリ
１４２  ＨＤＤ
１４３  スピンドルモータ（駆動部）
１６１〜１６３  ＬＥＤ
Ｂ  バス
２５１  アンテナ
Ｇ１１、Ｇ１２  メインメニュー表示画面
Ｇ２１〜Ｇ２３  サブメニュー表示画面
Ｇ３１  動作画面
【図１】
2006332728.tif 000003
【図２】
2006332728.tif 000004
【図３】
2006332728.tif 000005
【図４】
2006332728.tif 000006
【図５】
2006332728.tif 000007
【図６】
2006332728.tif 000008
【図７】
2006332728.tif 000009
【図８】
2006332728.tif 000010